(57)【要約】      （修正有）【課題】二つの医療又は歯科医療装置と共に用いられる少なくとも一つの医療又は歯科医療器具を機能させる、医療又は歯科医療器具を作動させるとともに保守するためのシステムであって、改良されたものを提供する。【解決手段】医療又は歯科医療器具２に作動用の媒質を供給する供給装置３と、医療又は歯科医療器具２を保守する保守装置３１；３２とを備え、少なく供給装置３及び保守装置３１；３２の一方に登録装置１６が設けられ、登録装置１６により医療又は歯科医療器具２についての少なくとも一つの動作手順に関する動作データの進展又は所望値及び／又は実際値が登録可能とされる。【選択図】図１
2011139911.tif 000002
【特許請求の範囲】
【請求項１】
医療又は歯科医療器具（２）に作動用の媒質を供給する供給装置（３）と、上記医療又は歯科医療器具（２）を保守する保守装置（３１；３２）とを備え、少なくとも上記供給装置（３）及び上記保守装置（３１；３２）の一方に登録装置（１６）が設けられ、該登録装置（１６）により上記医療又は歯科医療器具（２）についての少なくとも一つの動作手順に関する動作データの進展又は所望値及び／又は実際値が登録可能とされることを特徴とする、医療又は歯科医療器具を作動させるとともに保守するためのシステム。
【請求項２】
上記保守装置（３１；３２）が、上記医療又は歯科医療器具（２）に殺菌を施す殺菌装置 (３１) 又は上記医療又は歯科医療器具（２）に洗浄及び給油を施す洗浄・給油装置とされることを特徴とする請求項１記載のシステム。
【請求項３】
少なくとも上記供給装置（３）及び上記保守装置（３１；３２）の一方における上記医療又は歯科医療器具（２）についての先行する動作手順が完了しなかった場合、あるいは、該先行する動作手順のデータの実際値が得られないもしくは不満足なものである場合に、欠陥表示あるいは欠陥登録が行われること、または、上記供給装置（３）及び上記保守装置（３１；３２）の一方における動作手順が封鎖されることを特徴とする請求項１又は２記載のシステム。
【発明の詳細な説明】
【技術分野】
【０００１】
本発明は特許請求の範囲の請求項１の前文に従う医療又は歯科医療器具を作動させるとともに保守するためのシステムに関する。
【背景技術】
【０００２】
医療又は歯科医療器具にあっては、人又は動物の体又はその部分（人工補綴物）の処置に使用することが目的とされ、それにより、体に接触して発病源で汚染されてしまう可能性がある。このことは、特に、医療又は歯科医療器具が分泌物又は体液に接触する場合に懸念される。従って、一人の患者の処置の後、あるいは、次の患者の処置の前に、医療又は歯科医療器具を清掃及び／又は消毒／殺菌する必要がある。そのための各種手段は、医療又は歯科医療器具の体への接触が如何に強いか、さらには、如何なる処置手段が実行されたかに依存する。
【０００３】
更に、各種の医療又は歯科医療器具の構成と機能は、互いに大きく異なっている可能性がある。特に、工具が駆動装置によって動かされる医療又は歯科医療器具については、その機能の能力を維持し、また磨耗や機能停止を避けるために一定間隔をもって、少なくとも一つの医療又は歯科医療器具を機械的にサービスする必要がある。それらが機能動作中に汚染されたかどうかに関係なく、医療又は歯科医療器具が一定期間をもって（例えば、一定動作時間数後に）サービスされるという規則を伴う医療又は歯科医療器具がある。少なくとも一つの医療又は歯科医療器具の使用待ち状態のための保守手段を、以下においては「保守装置」という用語を用いて呼ぶことにする。従って、医療又は歯科医療器具については、少なくとも、ある期間中に作動する処置状態と、使用待ち状態が維持される保守状態とがとられる。
【０００４】
処置状態においては、医療又は歯科医療器具は、医療又は歯科医療用装置の一つである供給装置に接続される。今日の基準に従えば、斯かる供給装置は、電子制御装置を有し、そこから湾曲又は屈曲可能な供給ラインが伸び、それに対して医療又は歯科医療器具が着脱可能な連結器により接続される。医療又は歯科医療器具又はその工具は、供給装置から供給ラインを介して、それを機能させるための供給又は制御がなされる。これには、駆動エネルギー及び／又は作動用の媒質の供給が含まれる。
【０００５】
供給装置には、医療又は歯科医療器具が一つのみ、あるいは、連結器により供給ラインに選択的に接続可能な複数の異なる医療又は歯科医療器具が関連付けられる。この場合、医療又は歯科医療器具の種類に従って異なる作動用の媒質が各医療又は歯科医療器具に供給される。このような種類の供給装置については、従来、例えば、特許文献１において述べられている。
【０００６】
関連する先行技術に目を向けると、特許文献２には、歯科治療ステーションに属するエネルギー供給ユニットに対して種々のエネルギー消費負荷（例えば、歯科用器具）を認識可能にするシステムであって、供給ラインに関連付けられた医療又は歯科医療器具を識別するために供給ラインに設けられた符号化手段と、電気接続ラインにより符号化手段に接続されたエネルギー供給ユニットに属する評価回路とを有するシステムが述べられている。電気接続ラインは、供給ラインを介して伸びている。
【０００７】
また、特許文献３から、医療供給装置であって、それを用いて電気制御装置の助けにより、駆動モータに連結可能な工具を有する医療又は歯科医療器具に対する媒質の供給及び制御を行う医療用供給装置について知ることができる。制御装置には、一定の医療又は歯科医療器具又は工具を動作するための固定された所定の動作プログラムが、製造者によって記憶されている。それに加えて、ユーザ専用動作プログラムの作成が可能とされる。更に、選択ボタンの助けにより、設定モードを呼び出すことができ、そのもとで、ユーザは、動作手順に任意に割り込み、動作パラメータを任意に変更できる。
【０００８】
さらに、特許文献４においては、保守チャンバを囲むハウジングを有する、医療又は歯科医療器具としての歯科用ハンドピースのための保守装置が述べられている。保守チャンバには、医療又は歯科医療器具の一端を受容する少なくとも一つの連結部が配置され、この連結部まで保守供給ラインが伸びている。簡単な構成と信頼性のある機能を保証するために連結部には、保守装置の制御装置に信号を出し、それに応じて制御装置が保守用の媒質のための供給システムを制御するため、その保守配置内で器具により作動されるセンサーが関連付けられている。
【０００９】
このような種類の医療又は歯科医療器具が具えるコードは、識別及び／又は動作パラメータデータをも含み、従って、医療又は歯科医療器具を医療又は歯科医療用装置に連結する際に、当該装置により呼び出すことができ、また、医療又は歯科医療器具への媒質の供給を制御するために使用できるようなデータのためのメモリー要素の存在を示唆する。
【先行技術文献】
【特許文献】
【００１０】
【特許文献１】独国特許出願公開第４４１０２７６Ａ１号明細書
【特許文献２】独国特許出願公開第４２２０５２２Ａ１号明細書
【特許文献３】独国特許出願公開第１９７２９１７７Ａ１号明細書
【特許文献４】独国特許出願公開第１９９１３９６２Ａ１号明細書
【発明の概要】
【発明が解決しようとする課題】
【００１１】
本願発明は、二つの医療又は歯科医療装置と共に用いられる少なくとも一つの医療又は歯科医療器具を機能させるシステムである、医療又は歯科医療器具を作動させるとともに保守するためのシステムを改良することを目的とする。
【課題を解決するための手段】
【００１２】
本願発明の目的は、特許請求の範囲の請求項１の記載事項により達成される。即ち、本願発明に係る医療又は歯科医療器具を作動させるとともに保守するためのシステムは、医療又は歯科医療器具に作動用の媒質を供給する供給装置と、医療又は歯科医療器具を保守する保守装置とを備え、少なくとも供給装置及び保守装置の一方に登録装置が設けられ、その登録装置により医療又は歯科医療器具についての少なくとも一つの動作手順に関する動作データの進展又は所望値及び／又は実際値が登録可能とされることを特徴とするものとされる。
【００１３】
医療又は歯科医療器具についての少なくとも一つの動作パラメータデータの実際値を検出及び登録することは、特に有益である。このことは、取り分け、安全性についての監視及び／又は改良に有益である。というのは、製造者により設定された値又はユーザ専用の値（例えば、治療装置の場合は工具の回転速度、あるいは、殺菌装置の場合は殺菌温度）ではなく、実際に達成された実際値を決定して、それを登録することができるからである。従って、処置手順及び／又は保守手順についての技術的安全性のために重要であるパラメータ値が考慮される。このことは、例えば、殺菌装置形式の保守装置の場合に明瞭である。殺菌装置が、医療又は歯科医療器具の保守状態のもとにおいて、それにおける殺菌温度が所定の実際値に達しないことになる場合、この発明によるシステムが用いられれば、斯かる状態が検出され，認識され、さらに、可能であれば文書化もされる。このことは、例えば、保証の請求及び／又は遂行に関する証明又は証拠の提出に関連して特に重要である。
【００１４】
登録装置は、少なくとも供給装置及び保守装置のうちの一つ又は医療又は歯科医療器具に関連付けられて、電子メモリー手段又はメモリーチップにより与えられる。この電子メモリー手段又はメモリーチップに対しては、他の処置専用及び／又は保守専用情報のパラメータデータの所望値及び／又は実際値を、データ形式をもって転送及び記憶することができ、例えば、医療又は歯科医療器具が処置状態及び／又は保守状態にあるもとにおいて記憶できる。
【発明の効果】
【００１５】
本願発明に係る医療又は歯科医療器具を作動させるとともに保守するためのシステムにあっては、医療又は歯科医療器具に作動用の媒質を供給する供給装置と医療又は歯科医療器具を保守する保守装置とが備えられたもとで、少なくとも供給装置及び保守装置の一方に登録装置が設けられ、それにより、医療又は歯科医療器具についての少なくとも一つの動作手順に関する動作データの進展又は所望値及び／又は実際値が登録可能とされる。それにより、医療又は歯科医療器具の実際の動作に関するシステムのデータ及び／又は機能的シーケンスが、選択的に記録され，理解され，表現され、さらに、可能であれば文書化される。その結果、動作シーケンスの検査が実質的に単純化されることになる。
【００１６】
本願発明に係る医療又は歯科医療器具を作動させるとともに保守するためのシステムには、また、誤った手順の使用法及び／又は誤った保守手順が回避されるという点で安全性の改良が図られる。このため、登録装置に接続された制御手段は、準備のできていないあるいは準備が不十分な、特に、殺菌が不十分になされた器具の使用が欠陥報告又は機能封鎖等により回避されるように構成することができるものとされる。そして、対応する所定のやり方で、医療又は歯科医療器具が適さない保守手順（例えば、殺菌禁止）を、例えば、表示すること又は封鎖することにより回避することもできる。
【００１７】
さらに、本願発明に係る医療又は歯科医療器具を作動させるとともに保守するためのシステムにあっては、少なくとも一つの供給装置あるいは保守装置のメモリー手段及び制御手段と少なくとも一つの医療又は歯科医療器具の間のデータ転送を、ワイヤレスリモートコントロール（無線転送路、例えば、電波または赤外転送路）、あるいは、電気的又は光学的ラインにより行うこともできる。
【図面の簡単な説明】
【００１８】
【図１】本願発明に係る医療又は歯科医療器具を作動させるとともに保守するためのシステムの一例を省略して示す概略構成図である。
【図２】本願発明に係る医療又は歯科医療器具を作動させるとともに保守するためのシステムに適用される医療又は歯科医療器具の一例を示す概略構成図である。
【図３】本願発明に係る医療又は歯科医療器具を作動させるとともに保守するためのシステムの一例の部分を構成する、殺菌装置とされる保守装置の一例を示す概略構成図である。
【図４】本願発明に係る医療又は歯科医療器具を作動させるとともに保守するためのシステムの一例の部分を構成する、殺菌装置とされる保守装置の他の例を示す概略構成図である。
【図５】本願発明に係る医療又は歯科医療器具を作動させるとともに保守するためのシステムの一例の部分を構成する、洗浄・給油装置とされる保守装置の一例を示す概略構成図である。
【図６】図１においてＸにより示される部分の詳細の一例を示す一部破断拡大図である。
【図７】図６に示される例におけるVII-VII 線断面を示す断面図である。
【図８】図１においてＸにより示される部分の詳細のさらに他の例を示す拡大断面図である。
【図９】図８に示される例におけるIX−IX線断面を示す断面図である。
【図１０】図１においてＸにより示される部分のさらに他の例を示す一部破断拡大図である。
【図１１】図１においてＸにより示される部分の詳細のさらに他の例を示す概念図である。
【図１２】図１においてＸにより示される部分の詳細のさらに他の例を備えた医療又は歯科医療器具の一例を示す一部破断側面図である。
【図１３】図１２に示される例におけるXIII−XIII線断面を示す断面図である。
【図１４】図１２及び図１３に示される例において発生される電圧の波形を示す波形図である。
【図１５】図１２及び図１３に示される例において発生される電圧の波形を示す波形図である。
【図１６】図１においてＸにより示される部分の詳細のさらに他の例を示す一部破断拡大図である。
【図１７】図１においてＸにより示される部分の詳細のさらに他の例を示す一部破断拡大図である。
【発明を実施するための形態】
【００１９】
以下に、本願発明を実施するための形態を成す種々の利点をもたらす構成が、好ましい実施例と図面とを参照してより詳細に説明される。
【実施例】
【００２０】
図１において、その全体が１で示される処置装置の主要部分は、人間又は動物の体又はその部分を処置する医療又は歯科医療器具２（以下、単に器具２という。），器具２にエネルギー、即ち、電流，光，水及び空気等の作動用あるいは処置用の媒質を供給する供給装置３、及び、その後端が供給装置３に接続され、その自由前端が着脱可能な連結器８により器具２に接続された、湾曲又は屈曲可能な媒質用の供給ライン４を含んで構成される。図１に示される実施例においては、器具２は物質除去器具（例えば、ドリル器具）であり、その前方領域において保持器又は取付け装置５を有し、その中に工具６が工具軸６ａにより着脱自在に挿入される。器具２は細長いあるいはロッド状の形状を有し、例えば、図１に示されるように、真っ直ぐに伸びている。
【００２１】
この実施例の場合、器具２は、いわゆる、ハンドピース７であり、例えば、差込み連結器又は差込み／回転連結器とされる、着脱可能な連結器８によって接続部９に接続される。そして、接続部９は、例えば、ネジ接続により供給ライン４に着脱不可能に、あるいは、着脱自在に接続される。連結器８は、好ましくはハンドピース７における連結部分内に設けられた連結凹部８ａと、接続部９における連結部分に設けられた、移動のための遊びを有して連結凹部８ａに嵌合する連結ピン８ｂとによって形成される。そして、好ましくは、連結凹部８ａが、ハンドピース７の後端部領域において後方に向けて開口するものとされ、連結ピン８ｂが、接続部９から前方に突出して、ハンドピース７の後端部領域の後方から連結凹部８ａに嵌合するものとされる。連結凹部８ａと連結ピン８ｂとは、好ましくは丸く形成され、それにより、これらの部分間の相対回転性が確保されて、器具２又はハンドピース７の取扱いが容易にされる。
【００２２】
連結器８は、それに関連付けられた着脱自在のラッチ装置１１を有する。このラッチ装置１１は、好ましくは手動により係合状態を解くものとされ、連結器８を構成する連結凹部８ａに連結ピン８ｂが嵌合する際に、自動的に作動して係合し、その後、手動により加えられる引っ張り力に応じて係合状態を解くことができるものとされる。このようなラッチ装置１１は、好ましくは、一方の連結部上のラッチ端と、弾性戻り力に抗してラッチ端の後を係合する連結位置から外れる他方の連結部上のラッチ要素とにより形成される。それにより、ラッチ装置１１は、連結器８を構成する連結凹部８ａに連結ピン８ｂが嵌合する際に自動式にスナップインし、解放時には、上述のように手動により係合状態を解くことができる。
【００２３】
供給装置３は、それを制御しかつ機能させるため所望の機能を設定するスイッチテーブル１２と、読み取られたデータを読み出し、機能を制御しかつ調節するための評価回路を有する電子制御装置１３とを有するものとされる。それに関連して、供給装置３は、器具２又は工具６及び供給装置３の動作パラメータデータと他のデータとを扱うコンピュータ１４を備えており、コンピュータ１４は、器具２又は工具６及び供給装置３の動作パラメータデータと他のデータと関連機能及び条件とを表示するためのスクリーン１５を有するパーソナルコンピュータ（ＰＣ）と、上記のデータ又は情報の登録又は記録のための登録装置１６及びプリンタ１７とが、上述の制御又は調節のために一体化されて構成され得るものとされる。供給装置３には、後述される保守装置としての二つの殺菌装置３１及び洗浄・給油装置３２が第二の装置として連結される。
【００２４】
種々のタイプの処置を実行するため、処置装置１には、そのこと自体は既知であるように、複数の器具２が関連付けられる。図２は、例として、いわゆるアングルピース形式の器具２を示す。器具２は、従って、連結器８に関して各場合に適切に形成された種々の構造と機能を含むものとされ、それにより、それらは選択的に接続部９に連結でき、また、交換可能とされる。接続部９に配置されたモータＭ（例えば、電気モータ）により回転可能とされ、かつ、工具６に駆動接続された状態をとる軸方向に伸びる駆動軸を有した部材が備えられてもよい。工具６は、例えば、器具２の前端部領域に配置された圧縮エアタービンにより駆動可能とされ、斯かる場合には、当該タービンは、供給装置３から供給ライン４，接続部９及び器具２を縦方向に貫通して伸びる圧縮空気供給ライン及び吐出ラインを通じての空気の供給を受ける。
【００２５】
動作用あるいは処置用の媒質の供給のため、器具２は、例えば、空気ライン，水ライン又はスプレーラインを有したものとされ、その際には、それ自体は既知の方式をもって器具２の前端部において外部に導出されて、処置個所に向けられる。器具２は、その前端部領域に配置された光出口まで伸びるランプを伴って、縦方向に伸びる光導体又は縦方向に伸びる電気ラインを有する照明装置を有していてもよい。上記の装置に対する供給のため、供給装置３の供給ユニット３ａから供給ライン４を通って接続部９又は器具２における関連するエネルギー消費負荷まで伸びる、いわゆる媒質ラインが設けられる。回転／差し込み結合器が設けられた場合には、媒質ラインは、特に、密封方式をもってこれを共軸的に通過し、かつ／あるいは、複数の媒質ラインが、それ自体知られているようにＺ型の密封方式をもって連結ピン８ｂと連結凹部８ａの間の円筒形の分割継ぎ手を通過する。これらのそれ自体既知の関係をより一層明確にするため、図２にあっては、例えば、水，圧縮空気及び光に対する三つの媒質ライン１８，１９，２０が概略的に図解されており、これらは共軸的にあるいはＺ状に連結器８を通過する。
【００２６】
異なる処置又は動作プログラムを設定するため、処置装置１は、少なくとも二つのプログラムレベルを有する。第一のプログラムレベルについては、ユーザが、製造者によりあるいは工場で予め決定された複数の処置又は動作プログラムから所望のものを選択できる。第二のプログラムレベルについては、ユーザが、複数のユーザ専用に作られた動作プログラムから所望のものを選択できる。動作プログラムの一つが選択された後には、電子制御装置１３が、選択された動作プログラムに対応する動作パラメータデータに従って器具２又は工具６を制御する。ユーザは、ユーザ専用の記憶された動作プログラムと製造者により予め決定された動作プログラムとから所望通りのプログラム選択を行うことができるのである。
【００２７】
各動作プログラムに関連付けられた動作パラメータデータは、選択されるべき器具２に関する情報とその作動及び／又は処置専用データ（例えば、回転速度，透過率，効率，動作用の媒質、及び、動作用の媒質量等に関するデータ）とを含む。
【００２８】
登録装置１６は、例えば、スクリーン１５上での表示、あるいは、プリンタ１７によるプリントアウトによる表示を行うため、所望の動作についてのユーザ専用のデータと現在の動作時間を越える情報とを登録すること及びそれらを呼び出すことができる。
【００２９】
器具２の識別のため、器具２はその連結部の領域において、例えば、図３に示される如くのコード１０ａを有している。このコード１０ａは、接続部９又は供給ライン４上の他の連結部の領域に配置され、また、少なくとも一つの関連付けられたデータライン４２により電子制御装置１３に接続された読取装置１０ｂによる読取りが可能とされる。
【００３０】
機能的動作が可変とされるデータの場合、登録装置１６は、好ましくは、例えば、ユーザにより設定された設定望値だけでなく、実際に到達した実際値も登録するようにセットアップされる。それには、例えば、最大回転速度が含まれ、斯かる最大回転速度は、負荷とパワーとによって異なる。実際値の登録は、実際の状況を記録し、その後、動作を明らかにしかつ評価するために状況を呼び出し、それを表示することを可能にする。
【００３１】
符号１０をもって示される識別装置は、例えば、光学的，電磁的又は誘導効果的なものとされる。連結凹部８ａと連結ピン８ｂとを有する連結器８の場合、識別装置１０を連結器８の円筒形又は放射状の分割継ぎ手の両側に配置するのがよい。コード１０ａは、実施例の場合、連結凹部８ａを囲む器具２のスリーブ壁２ａ（図１６）内又はスリーブ壁２ａ上に配され、従って、読取装置１０ｂが、連結ピン８ｂ又はスリーブ壁２ａの反対側にある接続部９に配置される。コード１０ａがスリーブ壁２ａ内に配される場合には、識別装置１０の作動方向は放射方向であり、読取装置１０ｂは連結ピン８ｂに配置されて、コード１０ａはスリーブ壁２ａの内面部からアクセスできるものとされ、一方、コード１０ａがスリーブ壁２ａ上に配される場合には、読取装置１０ｂはスリーブ壁２ａの反対側にある接続部９に配置され、コード１０ａはスリーブ壁２ａの後方端面部からアクセスできるものとされる。
【００３２】
同一又は類似の部分に同一の参照符号が付された図６に示された実施例の場合、裏面、ここではスリーブ壁２ａの裏面上の、例えば、パターンコード、特に、バーコードの形式のコード１０ａを有する光学的とされた識別装置１０と、接続部９の放射方向の分割継ぎ手の後にある読取装置１０ｂとがある。この読取装置１０ｂは、例えば、発光ダイオードにより形成された光源１０ｃと、光電動セルセンサー１０ｄとを有し、これらは、好ましくは、放射方向分割表面にある環状段差において広がる凹部２１内に固定して置かれた、共通の、特に、円筒形の台１０ｅ内に配置され、あるいは、埋め込まれる。パターンコード（白黒領域）は、好ましくは、図７に示すように、間に異なる角度のものが含まれる放射方向の縞により形成される。読み取り方向は、軸方向又は軸方向に平行とされる。
【００３３】
同一又は類似の部分に同一の参照符号が付された図８及び図９に示される実施例にあっては、読取装置１０ｂの読み取り方向は、放射方向、ここでは、放射方向で内側に向いている。この実施例の場合、互いに隣り合った複数の光電導セルセンサー１０ｄが、コード１０ａに関して円周方向に、かつ、放射方向で外向きに配置される。コード１０ａは、外側円周又は線分面上に白黒マーク、特に、バーコードで形成される。図９に示されるように、コード１０ａと読取装置１０ｂとは、互いに放射方向に対向する連結部の部分に配置される。ここでは、コード１０ａは、読取装置１０ｂにより上方に係合される器具２上の内側ショルダ２ｂの外面に配置してもよい。好ましくは、複数備えられる光電導セルセンサー１０ｄは、接続部９の前向きの端面に配置されて、センサーリング線分内にまとめられる。読取装置１０ｂを受容する自由空間は、接続部９の突き出たスリーブ延長部により覆われてもよい。パラレル・シリアルコンバータ又は評価回路は、１０ｇが付されたものとして示されている。
【００３４】
図９及び図１０に示される実施例は、接続部９の放射方向の分割継ぎ手の後に適当に配置された磁気センサー１０ｈ（例えば、ホールセンサー又はフィールドプレート）を有した識別装置１０を備えている。磁石１０ｉは、後方に開いた凹部２２内で磁気センサー１０ｈに対向するスリーブ壁２ａ内に配置されている。図１１は、ランプ２３を有する照明装置が備えられた場合における磁気センサー１０ｈの配置と電気接続を概略的に示し、このランプ２３は、当該実施例の場合、磁気センサー１０ｈに関して円周方向にずれた接続部９内に配置され、スリーブ壁２ａ内で前方に伸びかつランプ２３に対向して器具２内に配置される光導体２４（図１０）に光を供給する。磁気センサー１０ｈは、電気ライン部１０ｊを介してランプ２３の電流回路２５に接続される。コード１０ａは、この実施例においては、異なる器具２が異なる長さの電磁場を有する磁石１０ｉを有し、磁気センサー１０ｈと磁石１０ｉの間のエアギャップが各々において結合状態が異なるように構成されている。それにより、磁気センサー１０ｈ内に異なる電位が生じ、それが電子制御装置１３に信号ライン１０ｆを介して供給される。この信号ライン１０ｆは，磁気センサー１０ｈから接続部９と供給ライン４を介して後方に、所望の動作データを設定するための電子制御装置１３まで伸びている。
【００３５】
図１２及び図１３に示される実施例にあっては、器具２のための識別装置１０は、連結器８の領域に回転部が取り付けられ、それが器具２の駆動部に回転可能に取り付けられた駆動軸２ｃであるように設けられている。駆動軸２ｃの後方端部は、差し込み連結器２ｄにより接続部９に回転可能に付けられた駆動軸部に連結されているが、この駆動軸部は、例えば、モータＭの駆動軸であってもよい。この構成にあっては、連結ピン８ｂの端面において接続部９に保持されるセンサー１０ｋが設けられている。器具２の駆動軸２ｃには、角度Φに渡って伸びかつ角度Φに渡って高さが低くなっている強磁性材料の送信機要素１０ｍが配置されている。斯かる送信機要素１０ｍは、展開図で見れば傾斜形状を有している。そして、送信機要素１０ｍは、駆動軸２ｃの回転に伴ってセンサー１０ｋを通過する。センサー１０ｋは、例えば、コイルとされ、送信機要素１０ｍは、センサー１０ｋを形成するコイルを通過しつつ、駆動軸２ｃの回転速度と回転方向に従った電圧Ｕを発生する。
【００３６】
こうして送信機要素１０ｍの開始高さと終了高さを選択することにより、かつ／あるいは、送信機要素１０ｍが伸びる角度Φを選択することにより、器具２の符号化が可能であり、言い換えれば、ある傾斜形状を選択することにより符号化が可能とされる。
【００３７】
図１４及び図１５において、センサー１０ｋの出力信号を、時間ｔ対電圧Ｕの関係をもって図解する。図１３における駆動軸２ｃの回転の際に電圧パルスが生じる。
【００３８】
駆動軸２ｃの右方回転に対する電圧パルスを、図１４に示す。この場合、送信機要素１０ｍによる傾斜は、センサー１０ｋに関して上昇形状を有し、その結果、正の電位パルスが発生される。
【００３９】
それに対して、駆動軸２ｃの左方回転の場合の電圧パルスを、図１５に示す。この場合、送信機要素１０ｍによる傾斜は、センサー１０ｋに関して下降形状を有し、電圧パルスは負とされる。
【００４０】
図１４及び図１５の両図において、電圧パルスは持続時間ｔ１及び持続時間ｔ２を有する。周期はＴである。図１３に示す角度Φと図１４及び図１５に示される時間ｔとの関係は下記の式で与えられる。
【００４１】
Φ  ＝  360 °×ｔ１／Ｔ
【００４２】
駆動軸２ｃの回転速度ｎは、ｎ＝１／Ｔである。ｔ１とｔ２又はＴの測定により、符号化角度Φが演繹される。
【００４３】
回転速度ｎを知ることができれば、電圧Ｕの振幅の測定により傾斜形状を決定でき、従って、符号化を行うことができることになる。
【００４４】
電圧パルスの極性は、駆動軸２ｃの回転方向（右又は左への）に関する情報を提供する。
【００４５】
図１６及び図１７に示される実施例にあっては、コード１０ａは、各場合に応じて変更可能とされる。コード１０ａは、読取装置１０ｂにより読取り可能な一定のデータを利用可能とするだけでなく、そこに記憶されたデータについての変更を行うことができ、このことは、電子制御装置１３からそこに転送されたデータについても当てはまる。斯かるデータは、動作データ、例えば、製造者により予め決定され、あるいは、ユーザにより作成された少なくとも一つの動作プログラムを含んでいてもよい。また、他の情報、例えば、器具２の動作、及び／又は治療すべき患者、及び／又は保守手順の意味での器具２の処理に関する情報も含んでもよい。それにより、読取装置１０ｂは、それと同時にデータ送受信機１０ｏでもあり、コード１０ａは、図１６及び図１７に示されるように、連結凹部８ａを囲むスリーブ壁２ａに配置されて、データ送受信機１０ｏからのデータの転送を通じてデータの変更が可能とされ、好ましくは、データ送受信機１０ｏから転送されたデータによるデータの上書きが行われる、メモリー要素１０ｐに格納されたものとされる。そして、コード１０ａを格納したメモリー要素１０ｐには、スリーブ壁２ａの内面部もしくは後方端面部からアクセスすることができるが、ここでは、データ送受信機１０ｏが接続部９に配置されて、コード１０ａを格納したメモリー要素１０ｐがスリーブ壁２ａの後方端面部からアクセスできるものとされている。図１６及び図１７は、そこにおいて、メモリー要素１０ｐからの呼出し及びメモリー要素１０ｐへの再書込みが行われるデータが、データ送受信機１０ｏとメモリー要素１０ｐとの間で双方向に選択転送されることになるデータ転送手段について、二つの実施例を夫々示している。
【００４６】
図１６には、データ送受信機１０ｏとメモリー要素１０ｐとの間に機械的接触手段１０ｑを有するものとされたデータ転送手段の例が示されている。データ送受信機１０ｏとメモリー要素１０ｐとの各々が、データの転送を行なう機械的接触手段１０ｑを成す電気的接点を有したものとされるが、斯かる電気的接点は、簡略化のため図示されていない。図１７には、データ送受信機１０ｏとメモリー要素１０ｐとの間で無接触状態のもとでのデータ転送が行われるデータ転送手段の例が示されている。斯かる際には、データ送受信機１０ｏとメモリー要素１０ｐとの各々が、無接触状態のもとでのデータの転送を行う手段を有したものとされる。このような無接触状態のもとでのデータの転送は、例えば、電磁的にあるいは誘導的に行われる。メモリー要素１０ｐは、トランスポンダ、即ち、照会−応答システムに従って作動する送受信装置により構成されてもよい。データ送受信機１０ｏの場合、対応するトランスポンダを含んでもよい。どちらの場合も、各場合に予め作成された、特に、ピン状コンポーネントにより構成され、かつ、凹部２１あるいは２２に対応する凹部内の所定場所に配されたメモリー要素が含まれる。
【００４７】
患者に対する器具２の意図された処置のため、及び／又は、器具２自身の処理（例えば、保守手段）のため、及び／又は、データ登録のため、重要なデータを器具２へ転送することにより、そのデータを受信し、かつ、好ましくは、そのデータをメモリー要素１０ｐに戻すことができるデータ送受信機を有した別の装置と器具２とを組み合わせることができる。そのような更なる装置の場合には、例えば、ユーザが利用可能な第二の処置装置（図示せず）及び／又は以下に述べる保守装置が含まれる。従って、図１６及び図１７に示される実施例では、データ搬送が器具２により行えるので、供給装置３と更なる装置の間に直接のデータライン４２を設けることは不要とされる。
【００４８】
上述の実施例の全てについて、接続部９上又はこれから突き出る連結ピン８ｂ上に、感知コンポーネントである読取装置１０ｂを配置し、器具２上にコード１０ａを配置するのが有利である。それにより、識別装置１０における低感度の部分が、洗浄，消毒及び／又は殺菌に際して、重要な要件（特に温度）の影響を受ける器具２上に配置されることになる。その他、電子制御装置１３が、少なくとも一つの適当なデータライン４２により、読取装置１０ｂ又はデータ送受信機１０ｏに接続される。
【００４９】
図３乃至図５は、各々がコンピュータ１４に接続されてそれとのデータ交換を行うものとして供給装置３に連結される保守装置を示し、図３及び図４の夫々は、保守装置としての、器具２に殺菌を施す殺菌装置３１を示し、図５は、保守装置としての、器具２に洗浄及び給油を施す洗浄・給油装置３２を示している。
【００５０】
図３に示される殺菌装置３１は、ハウジング３３内に、図示しないドアにより開閉できる殺菌チャンバ３４を有し、それにより殺菌すべき器具２を殺菌チャンバ３４、例えば、容器又はボール３５まで持って行き、そこに置くことができる。図６乃至図１１，図１６及び図１７に示される構成に従う器具２で使用できるように、殺菌装置３１には、読取装置１０ｂ又はデータ送受信機１０ｏが関連付けられ、それは殺菌チャンバ３４の中に配置されても外に配置されてもよい。また、コード１０ａに基づいて器具２を識別でき、さらに、消毒に必要な媒質の供給手段による供給を実行し、そのため、例えば、必要な殺菌温度（例えば、少なくとも１３５°）までの殺菌チャンバ３４の加熱と、必要に応じての、殺菌チャンバ３４の正圧又は負圧の発生も行う。参照符号３６及び３７が夫々付された、殺菌用の媒質を利用可能にする供給装置と、読み取られたデータ用の評価回路を有しかつ殺菌手段を制御する電子制御装置とが、関連付けられている。読取装置１０ｂ又はデータ送受信機１０ｏにより読み取られたデータは、器具２を認識し、殺菌手段を制御するため、電子制御装置３７に供給される。
【００５１】
図４に示される実施例は、図３に示される実施例とは、殺菌チャンバ３４内に、連結ピン８ｂに形状とサイズとが対応する連結ピン８ｂ１が配置され、これが、例えば、殺菌チャンバ３４の壁に取りけられ、その上に、器具２がその連結凹部８ａを用いて挿入される点において異なる。この図４に示される実施例において、連結器８は、殺菌チャンバ３４内に連結凹部８ａが配置されて形成されてもよく、その中に、突き出た連結ピン８ｂ１により器具２が挿入されてもよい。それにより、殺菌チャンバ３４には、位置決めと器具２及びそのデータの認識とを容易にする、器具２のための位置決め装置が設けられる。
【００５２】
図５に示される洗浄・給油装置３２は、ハウジング３８内に保守チャンバ３９を有しており、斯かる保守チャンバ３９は、図示されていないドアにより選択的に開閉される。そして、保守チャンバ３９中に器具２がもたらされ、保守手順のため、保守チャンバ３９内で、例えば、容器又はボールあるいは連結部（特に殺菌装置３１に対して既に述べた連結ピン８ｂ１）の上に配置される。洗浄・給油装置３２は、図５に概略的に示されるように、異なる器具２のための複数の連結部又は連結ピン８ｂ１を有するものとされる。図３及び図４に示される殺菌装置３１も、異なる器具２のためのそのような連結部又は連結ピン８ｂ１を有するものとされる。洗浄・給油装置３２は、供給装置３６と、保守用の媒質（例えば、圧縮空気又はオイルのような保守用の媒質）を利用可能にし、またこれらの媒質を器具２へ供給するとともに、洗浄及び／又は保守を実行する目的でこれらの手段を制御する、読み取られたデータのための評価回路を有する電子制御装置３７とを有する。
【００５３】
殺菌装置３１と同様に、洗浄・給油装置３２も、付属する連結ピン８ｂ１に関連付けられた読取装置１０ｂ又はデータ送受信機１０ｏを有し、斯かる読取装置１０ｂ又はデータ送受信機１０ｏは、コード１０ａ又はデータ記憶に基づいて、導入又は連結された器具２を認識し、そのデータを、供給装置３６を制御しかつ保守手順を実行する電子制御装置３７へと送る。
【００５４】
第一又は第二の保守装置、ここでは、殺菌装置３１と洗浄・給油装置３２又は他の装置において、各場合に応じて、関係データを処理しかつそのデータに対応する制御を実行するコンピュータ１４の適用が可能であるなら、それがスクリーン１５に関連付けられてもよい。その他に、これら装置の夫々には、動作データ及び情報の登録（例えば、実行される保守手段の登録、特に、この動作データの所望値及び実際値の登録）のための登録装置１６が関連付けられる。斯かる動作データ及び情報は、殺菌装置３１の場合、例えば、殺菌時間及び／又は殺菌温度及び／又は殺菌正圧又は負圧を含んだものとされる。洗浄・給油装置３２の場合には、例えば、吹きつけ時間及び／又は給油時間のような保守手段の保守又は機能時間及び／又は油量を含んだものとされる。
【００５５】
上述の実施例の場合、保守用の媒質（ここでは、圧縮空気と油）に対する供給ライン４が存在し、かつ、単純化された方式で図解されている。斯かる供給ライン４は、個々に関連付けられた貯蔵器から連結ピン８ｂ１まで伸び、器具２の連結状態において器具２の媒質ラインと接続状態にあり、その中に器具２の駆動軸２ｃが、圧縮空気の吹き付けによる洗浄と、保守用の媒質（特に油）の導入又は吹き付けによる駆動部の保守とを目的として回転可能に取り付けられる。
【００５６】
図１６及び図１７に示される構造にあっては、必要なデータが器具２に記憶され、器具２により関係する装置に転送され、あるいは、関係する装置から呼び出されるので、データライン４２による処置装置１及び／又は殺菌装置３１及び／又は洗浄・給油装置３２についての直接のネットワークの構築を省略することができる。コード１０ａが読取装置１０ｂによりのみ読み取られる構成では、少なくとも二つの装置間にデータライン４２を構築することが必要である。このデータライン４２は、特定の電気ラインにより、あるいは、無線方式により（例えば、赤外線又は電波送信路を介して）行うことができるが、少なくとも二つの処置装置１及び／又は殺菌装置３１及び／又は洗浄・給油装置３２及び／又は少なくとも一つの更なる装置（例えば、第二の処置装置）に共通の電子制御装置１３又は共通のコンピュータ１４，共通の登録装置１６及び共通のプリンタ１７が備えられる。このような構成にあっては、器具２を図１６及び図１７に示されるようにして作動させる又は保守すべき場合には、制御が共通に行われるので、データライン４２の構築が必要とされるのである。
【産業上の利用可能性】
【００５７】
以下に、本願発明による構成の様々な利点と機能とにつき、まとめて述べる。
【００５８】
図１及び図２に示される実施例においては、処置装置１は、おそらく存在することになる治療椅子と共に、外科装置（特に、マイクロ外科装置又は歯科用治療装置）が含まれる治療ステーションを形成する。動作データ（例えば、使用時に生じる回転の最大トルク又は最大工具速度）の所望値だけでなく実際値、更には、動作情報（例えば、時間，日付）をも登録する結果として、動作データの所望値や実際値も、処置中だけでなく処置後も呼び出せ、一時的に、あるいは恒久的に、例えば、スクリーン１５上に表示することができ、また、プリンタ１７によりプリントアウトすることにより表示することができる。そして、それにより、患者又は体の処置への器具２の使用及び／又は（例えば、保守のための）器具２自身の処理を決定しかつ評価することができ、このことは、特に、保証請求と処置寿命に関連して意味をもつ。
【００５９】
これらの利点と手段とは、図１及び図２に示される治療装置だけでなく、殺菌又は消毒、及び、洗浄及び給油を実行する殺菌装置３１及び洗浄・給油装置３２にも適用される。
【００６０】
本願発明による構成は、器具２の以下の要件の認識と遂行を可能にする。即ち、
ａ）いずれの器具２が関係するか。
ｂ）器具２が如何なる要件（例えば、回転速度，トルクのような動作データ）を提供し、如何なる動作用の媒質（空気，水，電流等）が必要か。
ｃ）器具が如何なる状態にあるか（例えば、器具が既に何時間動作したか，殺菌もしくは消毒又は洗浄及び給油がされているか）。
【００６１】
上述の要件ａ）とｂ）とは、個々あるいは共通の電子制御装置により、得られた識別データを電子制御装置に記憶されたデータと比較及び評価することにより認識される。また、要件ｃ）は、関連する動作データが決定されて登録され、それにより、関連する登録データが器具２の現在の状態を表すようにすることにより遂行される。そして、データを継続して登録することにより、処置及び保守の特定の動作機能だけでなく動作の進展も登録できる。先行する動作手順が完了した場合、あるいは、データの登録又は記憶が行われて特定の動作条件が達成された場合、一定の動作手順のみが影響を受けるように、先行する動作手順又は記憶されたデータに従って、個々の動作手順又はデータを制御することができる。例えば、器具２が保守されず、関連するデータが得られないあるいは不満足なものである場合には、電子制御装置は斯かる欠陥を認識し、かつ、引き続く動作手順を封鎖し、あるいは、警報信号によりこの欠陥を表示し、あるいは、この欠陥を登録する。例えば、器具２が保守されていない場合、あるいは、保守が不十分である場合（例えば、殺菌温度及び／又は殺菌時間が所望値に対応しない場合）、電子制御装置は、遅くとも器具を供給装置３に連結した際に、このことを認識し、それにより電子制御装置は使用を封鎖し、あるいは、少なくともこの欠陥を表示する。
【００６２】
そのような封鎖又は表示は、さらに、器具２が所定の動作時間数を超えたか否かの判別を可能にし、それについては、関連するデータの登録によりモニターすることができる。
【００６３】
本願発明は、装置及び／又は器具が適切な認識データを記憶するときは、少なくとも一つの器具２の動作手順及び状態が少なくとも二つの処置及び／又は供給装置において認識できるという洞察に基づいている。器具２は、例えば、その保守のための殺菌装置３１又は洗浄・給油装置３２に連結される。この殺菌装置３１又は洗浄・給油装置３２は器具２の個々の種類を認識する。殺菌装置３１又は洗浄・給油装置３２は、次に、正確にこの器具２に対して記憶されたデータを呼び出す。そして、これらのパラメータデータ（油量、吹き出し時間）に従って、保守サイクルが開始される。保守が完了した後には、関連する手順又は保守データが記憶され、その際には、器具２のシリアル番号も役立つことになる。
【００６４】
少なくとも一つの他の装置が、先行する動作手順のデータを呼び出しかつ記憶する状況にあるときは、装置のデータネットワークを通じて、複数の装置の動作手順（例えば、器具２の保守及び動作）を追跡することができる。
【００６５】
例えば、器具Ａが、２００１年１月１６日１０時に洗浄・給油装置３２内で保守を受け、２００１年１月１６日１０時５分に殺菌装置３１内で殺菌され、２００１年１０月１６日１１時に処置装置１（患者４）上で合計５分間動作して、それらについてのデータが保存されたとすると、それに基づき、その後の動作手順が決定できるだけでなく、例えば、関連する電子制御装置に未殺菌の器具２が連結される際に、その電子制御装置に付随する欠陥報告によって推測又は認識される欠陥も決定できる。
【符号の説明】
【００６６】
１・・・処置装置，  ２・・・医療又は歯科医療器具，  ３・・・供給装置，  ３ａ・・・供給ユニット，  ４・・・供給ライン，  ６・・・工具，  ７・・・ハンドピース，  ８・・・連結器，  ８ａ・・・連結凹部，  ８ｂ，８ｂ１・・・連結ピン，  ９・・・接続部，  １０・・・識別装置，  １０ａ・・・コード，  １０ｂ・・・読取装置，  １０ｏ・・・データ送受信機，  １０ｐ・・・メモリー要素，  １２・・・スイッチテーブル，  １３・・・電子制御装置，  １４・・・コンピュータ，  １５・・・スクリーン，  １６・・・登録装置，  １７・・・プリンタ，  ３１・・・殺菌送致，  ３２・・・洗浄・給油装置，  ３３，３８・・・ハウジング，  ３４・・・殺菌チャンバ，  ３９・・・保守チャンバ
【図１】
2011139911.tif 000003
【図２】
2011139911.tif 000004
【図３】
2011139911.tif 000005
【図４】
2011139911.tif 000006
【図５】
2011139911.tif 000007
【図６】
2011139911.tif 000008
【図７】
2011139911.tif 000009
【図８】
2011139911.tif 000010
【図９】
2011139911.tif 000011
【図１０】
2011139911.tif 000012
【図１１】
2011139911.tif 000013
【図１２】
2011139911.tif 000014
【図１３】
2011139911.tif 000015
【図１４】
2011139911.tif 000016
【図１５】
2011139911.tif 000017
【図１６】
2011139911.tif 000018
【図１７】
2011139911.tif 000019